(57)【要約】【課題】本発明は、複数種類の電力量計に適合可能であり、送電ロスなく多くの電力量計の性能試験を行うことが可能な自動結線装置を提供する。【解決手段】本発明は、電力量計を設置する電力量計設置部１００と、電力量計に設けられる外部端子と接続する複数の電気接続端子２１０を有すると共に、前記電力量計へ試験電力を供給する試験装置とも接続する試験電力供給部２００を含み、前記電気接続端子２１０は、前記電力量計の外部端子２４と接触する接触部２３０を備え、前記電気接続端子２１０のうち少なくとも一つは、前記接触部２３０を複数有し、一つの電気接続端子２１０に設けられる複数の接触部２３０は、各々異なる位置に配置されることを特徴とする。【選択図】  図１
2015075476.tif 000002
【特許請求の範囲】
【請求項１】
電力量計を設置する電力量計設置部と、電力量計に設けられる外部端子と接続する複数の電気接続端子を有すると共に、前記電力量計へ試験電力を供給する試験装置とも接続する試験電力供給部とを含む自動結線装置であって、
前記電気接続端子は、前記電力量計の外部端子と接触する接触部を備え、
前記電気接続端子のうち少なくとも一つは、前記接触部を複数有し、
一つの電気接続端子に設けられる複数の接触部は、各々異なる位置に配置されるものであり、
前記電力量計設置部に設置された電力量計の種類に応じて、外部端子と接触する接触部を切り替えることを特徴とする自動結線装置。
【請求項２】
前記電力量計設置部に設置された電力量計の種類を判別する電力量計判別手段と、
前記電力量計判別手段により判別された電力量計の種類に応じて、導通状態の電気接続端子と、非導通状態の電気接続端子とを選択する導通端子選択手段と、
を更に備える請求項１に記載の自動結線装置。
【請求項３】
電力量計を設置する電力量計設置部と、電力量計に設けられる外部端子と接触する接触部を備える複数の電気接続端子を有すると共に、前記電力量計へ試験電力を供給する試験装置とも接続する試験電力供給部とを含む自動結線装置であって、
電力量計の設置位置を調節する電力量計設置位置調節手段と、
前記電力量計設置部に設置された電力量計の種類を判別する電力量計判別手段と、
前記電力量計判別手段により判別された電力量計の種類に応じて、導通状態の電気接続端子と、非導通状態の電気接続端子とを選択する導通端子選択手段と、
を備える自動結線装置。
【発明の詳細な説明】
【技術分野】
【０００１】
本発明は、電力量計、特に電子式電力量計の性能試験を行うために、電力量計と、該電力量計に試験電力を供給する試験装置とを電気的に接続する自動結線装置に関する。
【背景技術】
【０００２】
一般住宅、店舗、工場等の建物には、消費電力量を計測する電力量計が設置されており、電力会社から請求される電力料金は、電力量計が計測した消費電力情報に基づいて計算される。そのため、電力量計において、消費電力の計測が正確に出来ていないと、電力料金の計算も誤ったものとなってしまう。そのような事態を回避するため、流通前の電力量計に対して、正確な動作が担保されているか否かを確認する性能試験が行われている。
【０００３】
上述の電力量計の性能試験では、電力量計への試験電力の供給源となる試験装置と、電力量計とを電気的に接続する自動結線装置が用いられる。自動結線装置に係る技術は、例えば下記特許文献に開示されている。
【０００４】
特許文献１に記載の自動結線装置は、電力量計が設置される電力量計設置部と、電力量計の電流端子の一方の面と接触する第一の電流端子接触部と、電流端子の他方の面と接触する第二の電流端子接触部と、電力量計を前記電力量計設置部に係止する電力量計係止機構とを備えるものであり、電力量計が電力量計設置部に設置されると、電力量計の電流端子が、第一及び第二の電流端子接触部の間に配置され、第一の電流端子接触部が降下することで、電流端子が、第一及び第二の電流端子接触部に挟持される状態となり、電力量計に試験電流が供給される自動結線装置である。
【先行技術文献】
【特許文献】
【０００５】
【特許文献１】特開２０１２−８３３１９号公報
【発明の概要】
【発明が解決しようとする課題】
【０００６】
しかしながら、特許文献１に記載の自動結線装置は、試験対象の電力量計が電力量計設置部に設置される際、決まった位置に配設される電力量計係止機構により係止される構造であるため、それと適合する寸法の電力量計以外の電力量計を設置することが難しいという課題を有する。
【０００７】
また、自動結線装置の第一及び第二の電流端子接触部は、電力量計の電流端子と、面状に接触する。一般的に、電力量計の種類によって電流端子の配置位置が異なるため、電力量計係止機構の位置を調整して、異なる種類の電力量計を設置することができたとしても、第一、第二の電流端子接触部と、電力量計の電流端子との接触領域が、送電ロスの少ない最適値からずれるという課題を有する。そのため、試験装置から電力量計へ試験電力を送る場面で不具合が生じ得る。従って、特許文献１に記載の自動結線装置は、特定の一種類の電力量計の試験に限り行うことが想定されているため、試験における作業効率の面で課題を有する。
【０００８】
上記課題に鑑み、本発明は、複数種類の電力量計の試験に適合可能で作業時間を低減することが可能である共に、試験の際、試験装置から電力量計へロスなく試験電力を送ることが可能な自動結線装置を提供することを目的とする。
【課題を解決するための手段】
【０００９】
前記課題を解決するための本発明に係る自動結線装置は、
電力量計を設置する電力量計設置部と、電力量計に設けられる外部端子と接続する複数の電気接続端子を有すると共に、前記電力量計へ試験電力を供給する試験装置とも接続する試験電力供給部とを含み、
前記電気接続端子は、前記電力量計の外部端子と接触する接触部を備え、
前記電気接続端子のうち少なくとも一つは、前記接触部を複数有し、
一つの電気接続端子に設けられる複数の接触部は、各々異なる位置に配置されるものであり、
前記電力量計設置部に設置された電力量計の種類に応じて、外部端子と接触する接触部を切り替えることを特徴とする。
【００１０】
また、本発明に係る自動結線装置は、
前記電力量計設置部に設置された電力量計の種類を判別する電力量計判別手段と、
前記電力量計判別手段により判別された電力量計の種類に応じて、導通状態の電気接続端子と、非導通状態の電気接続端子とを選択する導通端子選択手段と、
を更に備えることが好ましい。
【００１１】
更に、本発明に係る自動結線装置は、
電力量計を設置する電力量計設置部と、電力量計に設けられる外部端子と接触する接触部を備える複数の電気接続端子を有すると共に、前記電力量計へ試験電力を供給する試験装置とも接続する試験電力供給部とを含み、
電力量計の設置位置を調節する電力量計設置位置調節手段と、
前記電力量計設置部に設置された電力量計の種類を判別する電力量計判別手段と、
前記電力量計判別手段により判別された電力量計の種類に応じて、導通状態の電気接続端子と、非導通状態の電気接続端子とを選択する導通端子選択手段と、
を備えることを特徴とする。
【発明の効果】
【００１２】
本発明によれば、電気接続端子のうち少なくとも一つが、種類毎に異なる位置に配置される電力量計の外部端子の各々と接触する複数の接触部を有する。そのため、複数種類の電力量計を試験することが可能であると共に、試験電力をロスなく電力量計へ送ることが可能な自動結線装置を提供することができる。
【００１３】
また、本発明によれば、電力量計設置位置調節手段を設けることで、電力量計設置部に設置される電力量計の種類に関わらず、ほぼ同じ位置に外部端子を配置させることができる。そのため、複数種類の電力量計を試験することが可能であると共に、試験電力をロスなく電力量計へ送ることが可能な自動結線装置を提供することができる。
【図面の簡単な説明】
【００１４】
【図１】電力量計２１が設置された状態の自動結線装置１０の正面図。
【図２】電力量計２１が設置された状態の自動結線装置１０の側面図。
【図３】電力量計２２が設置された状態の自動結線装置１０の正面図。
【図４】電力量計２２が設置された状態の自動結線装置１０の側面図。
【図５】電気接続端子２１０の導通状態・非導通状態を切り替える回路を示す図。
【図６】電力量計２１が設置される前後の自動結線装置６０を示す斜視図。
【図７】電力量計２２が設置される前後の自動結線装置６０を示す斜視図。
【発明を実施するための形態】
【００１５】
以下、図面を参照して本発明の望ましい実施形態を詳細に説明する。但し、本発明は多くの異なる態様で実施することが可能であり、以下に示す実施の形態の記載内容に限定して解釈されるものではない。
【００１６】
図１から図５を参照して、本発明の第一実施形態に係る自動結線装置１０について説明する。図１は、電力量計２１が設置された状態の自動結線装置１０の正面図、図２は、同じく電力量計２１が設置された状態の自動結線装置１０の側面図である。また、図３は、図１及び図２で示した電力量計２１とは異なる種類の電力量計２２が設置された状態の自動結線装置１０の正面図、図４は、電力量計２２が設置された状態の自動結線装置１０の側面図である。また、図５は、試験対象の電力量計と自動結線装置との電気的接続を行う電気接続端子の導通状態・非導通状態を切り替える回路を示す図である（詳細は後述する）。
【００１７】
本発明に係る自動結線装置の詳細を説明する前に、試験対象となる電力量計について説明する。電力量計は、計測電力量を表示する表示部２３や、外部電源（例えば、配電線）及び負荷と接続する外部端子２４を有する。この外部端子２４を介して、電力量計と外部電源・負荷との間で電流・電圧の入出力がなされる。ただし、電力量計の種類によって、外部端子２４の本数あるいは配設位置が異なる。
【００１８】
図１及び図２に示す電力量計２１は、単相２線式（３０Ａ）の電力量計であり、外部電源や負荷と接続される外部端子２４を３本備える。電力量計２１の外部端子２４は、図左から１Ｓ端子、２Ｓ／２Ｌ端子、１Ｌ端子である。電力量計２１の内部では、１Ｓ端子と１Ｌ端子が、電流測定用の第一の電流コイル（図示しない）を介して接続されている。これにより、１Ｓ端子、１Ｌ端子及び第一の電流コイルを含む第一の電流回路（図示しない）が形成される。また、２Ｓ／２Ｌ端子が、電圧測定用の第一の電圧コイル（図示しない）を介して、上述の第一の電流回路中に設けられる接点と接続されている。消費電力（性能試験時では、試験電力）は、上述の第一の電流コイル及び第一の電圧コイルに生じる電流及び電圧に基づいて計算される。これに対し、図３及び図４に示す電力量計２２は、単相３線式又は三相３線式（６０Ａ）の電力量計であり、外部端子を５本備える。電力量計２２の外部端子は、図左から１Ｓ端子、３Ｓ端子、３Ｌ端子、２Ｓ／２Ｌ端子、１Ｌ端子である。電力量計２２の内部では、１Ｓ端子と１Ｌ端子が、電流測定用の第一の電流コイル（図示しない）を介して接続されている。これにより、電力量計２１の場合と同様、１Ｓ端子、１Ｌ端子及び第一の電流コイルを含む第一の電流回路（図示しない）が形成される。また、３Ｓ端子と３Ｌ端子が、第二の電流コイル（図示しない）を介して接続されている。これにより、３Ｓ端子、３Ｌ端子及び第二の電流コイルを含む第二の電流回路（図示しない）が形成される。さらに、２Ｓ／２Ｌ端子が、第一の電圧コイル（図示しない）を介して、上述の第一の電流回路中に設けられる接点と接続すると共に、第二の電圧コイルを介して、第二の電流回路中に設けられる接点と接続されている。消費電力（性能試験時では、試験電力）は、上述の第一、第二の電流コイル及び第一、第二の電圧コイルに生じた電流及び電圧に基づいて計算される。
【００１９】
また、種類毎に電力量計の寸法等が異なる関係で、自動結線装置１０に電力量計が設置されたときの電力量計の外部端子２４の配置位置が異なる。具体的には、電力量計２１は、電力量計２２より小さな寸法であるため、電力量計２１の外部端子２４の配置位置は、電力量計２２の外部端子２４の配置位置と比べて、自動結線装置１０の基板１１０（詳細は後述する。）の下方、且つ基板１１０に近い位置に配置されている（図２及び図４参照）。
ただし、図１から図４に示す電力量計は、あくまで例示であり、これに限定されるものではない。
【００２０】
次に、第一の実施形態に係る自動結線装置１０の構成を説明する。自動結線装置１０は、電力量計設置部１００、試験電力供給部２００、電力量計判別手段３００、導通端子選択手段４００等を含む。以下、各々の構成要素について説明する。
【００２１】
電力量計設置部１００は、試験対象となる電力量計２１、２２を設置固定するためのものであり、電力量計２１、２２を載置する基板１１０と、基板１１０に載置された電力量計２１、２２を係止するための電力量計係止部１２０と、電力量計２１、２２の幅方向の位置を固定するガイド部１３０を含む。
【００２２】
電力量計２１、２２の背面２５には、所定形状の窪みが形成されている。ここに、電力量計係止部１２０が係合することで、基盤１１０上に電力量計が係止される。ここで、基板１１０には、電力量計２１を係止するための電力量計係止部１２１と、電力量計２２を係止するための電力量計係止部１２２の双方が設けられる。
【００２３】
また、基板１１０の、電力量計係止部１２１の設置位置には、貫通孔１１１が設けられる。基板１１０に電力量計２２が載置される場合、電力量計係止部１２１は、電力量計２２の背面２５と接触し押圧されるが、貫通孔１１１が設けられることで、電力量計係止部１２１が貫通孔１１１に挿通される。それにより、電力量計係止部１２１の先端が、基板１１０の背面側に突出する。
【００２４】
ガイド部１３０は、基板１１０に載置された電力量計２１、２２の側面と当接する当接部１３１と、当接部１３１を幅方向に移動可能に支持する支持部（図示せず）を有する。本実施形態では、支持部として、押圧方向とは逆に付勢するバネが用いられる。電力量計２１、２２の側面が、ガイド部１３０の当接部１３１に接触すると、双方の当接部１３１が、それぞれ基板外側に押圧され、移動する。それに対し、支持部には、押圧方向とは逆方向への付勢力が生じる。当接部１３１の移動は、この押圧力と付勢力とが釣り合う位置で停止する。このように、幅方向に移動可能で、電力量計２１、２２を付勢するガイド部１３０を設けることで、幅寸法の異なる電力量計２１、２２の双方の幅方向位置を固定することができる。
【００２５】
次に、試験電力供給部２００は、試験装置（図示しない）と接続し、電力量計２１、２２へ試験電力を供給するものであり、電力量計２１、２２の外部端子２４と接続する電気接続端子２１０と、電気接続端子２１０の位置を昇降させるための昇降部２２０を含む。ここで、電力量計２１、２２の試験方法として、電力量計２１、２２に、電圧源及び電流源をそれぞれ別々に接続し、電圧源から試験電圧を、電流源から試験電流を供給する、虚負荷試験法を用いることが好ましい（本発明の場合、試験電力供給部２００を介して、電力量計２１、２２と、電流源、電圧源とが接続される）。これは、負荷を、電力量計２１、２２に接続して試験を行う場合に比べて、電力量計２１、２２に供給する試験電力を大幅に低減させることができるためである。そのため、上述の試験装置は、電力量計２１、２２に接続される電圧源、電流源を備える構成とすることが好ましい。よって、虚負荷試験法を用いる場合、試験装置から電力量計２１、２２へ虚負荷試験電力が供給されることとなる。ただし、電力量計２１、２２の試験方法は、これに限定されるものではない（以下、「試験電力」と言う場合、試験方法の区別をせず、性能試験用に試験装置から電力量計へ供給される電力を指すものとする）。
【００２６】
図１及び図３に示すように、本実施形態では、試験電力供給部２００は、５本の電気接続端子２１０ａから２１０ｅを有する。また、各電気接続端子２１０は、電力量計の外部端子２４と接触する接触部２３０を有する。ここで、電気接続端子２１０ａ、２１０ｃ、２１０ｄには、電力量計２１の外部端子２４（１Ｓ、２Ｓ／２Ｌ、１Ｌ）と接触する接触部２３１が一つずつ設けられ、電気接続端子２１０ａから２１０ｅには、電力量計２２の外部端子２４（１Ｓ、３Ｓ、３Ｌ、２Ｓ／２Ｌ、１Ｌ）と接触する接触部２３２が、接触部２３１よりも上方に一つずつ設けられる。すなわち、電気接続端子２１０ａ、２１０ｃ、２１０ｄには、異なる位置に２種類の接触部２３０が設けられることとなる。
【００２７】
また、図２及び図４を参照すると、接触部２３１は、電気接続端子２１０の基部２１１から基板１１０に向けて延びる延出部２１２に取り付けられているのに対し、接触部２３２は、基部２１１に直接取り付けられる。すわなち、接触部２３１は、接触部２３２よりも基板１１０に近い位置に配置される。なお、電気接続端子２１０の基部２１１及び延出部２１２は、導電性の材料からなる。
【００２８】
上述のように、電力量計２１の外部端子２４と電力量計２２の外部端子２４とは、自動結線装置１０に設置されたときの配置位置が異なる。従って、一つの電気接続端子２１０（２１０ａ、２１０ｃ、２１０ｄ）に位置の異なる２種類の接触部２３１、２３２を設けることで、外部端子２４の配置位置が異なる電力量計２１、２２が、同じ自動結線装置１０に設置された場合であっても、外部端子２４と接触部２３０（２３１、２３２）とを接触させることができる。すなわち、自動結線装置１０に設置される電力量計の種類に応じて、外部端子２４と接触する接触部２３０を切り替えることができる。これにより、１台の自動結線装置で複数種類の電力量計の性能試験を行うことができ、作業効率を向上させることができると共に、装置の製造コストを低減させることができる。また、接触部２３０のすべての領域が、外部端子２４と接触するため、試験電力をロスなく電力量計に供給することができる。なお、図１では、電気接続端子２１０ａ、２１０ｃ、２１０dに設けられる接触部２３０の数が２つの場合を示しているが、３つ以上であってもよい。
【００２９】
昇降部２２０は、電気接続端子２１０と係合するピストン２２１と、ピストン２２１を昇降移動させる駆動部２２２を有する。駆動部２２２により、ピストン２２１が昇降すると、それに連動して電気接続端子２１０が昇降する。これにより、電気接続端子２１０の接触部２３０と、電力量計の外部端子２４との接触又はその解除を制御する。なお、駆動部２２２としては、アクチュエータ、エアシリンダ等が考えられる。また、駆動部２２２の制御（スイッチング）は、手動で行ってもよいし、電力量計が電力量計設置部１００に設置されたことを検知する検知手段（センサ等）を設け、検知手段からの検知情報に基づいて自動で行うようにしてもよい。
【００３０】
次に、電力量計判別手段３００は、基板１１０に載置された電力量計の種類を判別するためのものである。本実施形態では、電力量計判別手段３００は、基板１１０の背面に配設される。また、電力量計判別手段３００として、赤外線の発光及び受光機能を有するセンサ３１０を用いる。
【００３１】
図２に示すように、基板１１０に電力量計２１が載置される場合、電力量計係止部１２１は、電力量計２１の窪みと係合する。また、電力量計２１の寸法が、電力量計２２より小さいため、電力量計２１の背面２５と対向するのは、電力量計係止部１２１のみである。そのため、電力量計係止部１２２は、電力量計２１と接触せず、そのままの位置を保つ。よって、この場合、基板１１０の背面側に突出する電力量計係止部１２０は存在しない。それに対して、図４に示すように、基板に電力量計２２が載置される場合、電力量計２２の窪みと係合するのは、電力量計係止部１２２である。そのため、その下方に位置する電力量計係止部１２１は、電力量計２２の背面２５と接触し、押圧される。従って、電力量計係止部１２１が、基板１１０の背面側に突出する。
【００３２】
基板１１０に電力量計２２が載置され、基板１１０の背面側に電力量計係止部１２１が突出する場合、センサ３１０から発光された赤外光が、電力量計係止部１２１に当たって反射され、再びセンサ３１０に戻る。センサ３１０は、反射光を受光することで、基板１１０の背面側に突出物があることを検知する。本実施形態の場合、基板１１０の背面側に突出物がある場合とは、基板１１０に電力量計２２が載置された場合のみである。そのため、センサ３１０が反射光を検知した場合、基板１１０に電力量計２２が載置されていると判定される。それに対して、基板１１０に電力量計２１が載置されると、基板１１０の背面には、いずれの電力量計係止部も突出しないため、センサ３１０が反射光を検知しない場合、基板１１０に電力量計２１が載置されていると判定される。これにより、基板１１０に載置される電力量計の種類を特定（判別）することが可能となる。
【００３３】
次に、導通端子選択手段４００は、上述の電力量計判別手段３００によって判別された電力量計の種類に応じて、電力量計の外部端子２４と接続される電気接続端子２１０を導通状態に、電力量計の外部端子２４と接続されない電気接続端子２１０を非導通状態に切り替える機能を有する。本実施形態では、導通端子選択手段４００として、電気接続端子２１０と接続するリレー回路４１０を用いる。
【００３４】
リレー回路４１０の詳細を図５に示す。リレー回路４１０は、コイルに電流を流すことでＯＮ／ＯＦＦを制御するリレーＫ１からＫ４を含む。また、リレー回路４１０は、試験装置の電圧源４０、電流源５０と接続すると共に、電気接続端子２１０とも接続する。
【００３５】
まず、電力量計判別手段３００によって、電力量計２１が基板１１０に載置されたと判別された場合、リレー回路４１０のうち、Ｋ２及びＫ４をＯＮに、Ｋ１及びＫ３をＯＦＦにする。Ｋ２がＯＮとなることにより、試験装置の電圧源４０ａの一端が電気接続端子２１０ｃと接続する。電圧源４０ａの他端は、常に電気接続端子２１０ａと接続された状態である。そのため、電力量計２１の外部端子２４の１Ｓ及び２Ｓ／２Ｌが、電気接続端子２１０ａ及び２１０ｃ（のそれぞれの接触部２３１）を介して、試験装置の電圧源４０ａの両端と接続する。これにより、電力量計２１に試験電力が印加可能な状態となる。また、Ｋ４がＯＮとなることにより、試験装置の電流源５０ａの一端が電気接続端子２１０ｄと接続する。電流源５０ａの他端は、常に電気接続端子２１０ａと接続された状態であるため、電力量計２１の外部端子２４の１Ｓ及び１Ｌが、電気接続端子２１０ａ及び２１０ｄ（のそれぞれの接触部２３１）を介して、試験装置の電流源５０ａの両端と接続する。これにより、電力量計２１に試験電流が供給可能な状態となる。従って、これらの接続状態が形成されることにより、電力量計２１に試験電力が供給可能となる。
【００３６】
それに対して、電力量計判別手段３００によって、電力量計２２が基板１１０に載置されたと判別された場合、リレー回路４１０のうち、Ｋ１及びＫ３をＯＮに、Ｋ２及びＫ４をＯＦＦにする。試験装置の電流源５０ａの両端は、電気接続端子２１０ａ及び２１０ｅ（のそれぞれの接触部２３２）を介して、電力量計２２の外部端子２４の１Ｓ及び１Ｌと接続する。また、Ｋ１がＯＮとなることにより、試験装置の電流源５０ｂの一端が電気接続端子２１０ｃと接続する。電流源５０ｂの他端は、常に電気接続端子２１０ｂと接続された状態である。そのため、電力量計２２の外部端子２４の３Ｓ及び３Ｌが、電気接続端子２１０ｂ及び２１０ｃ（のそれぞれの接触部２３２）を介して、試験装置の電流源５０ｂの両端と接続する。これにより、電力量計２２に試験電流が供給可能な状態となる。また、Ｋ３がＯＮとなることにより、試験装置の電圧源４０ａの一端が電気接続端子２１０ｄと接続する。電圧源４０ａの他端は、常に電気接続端子２１０ａと接続された状態である。そのため、電力量計２２の外部端子２４の１Ｓ及び２Ｓ／２Ｌが、電気接続端子２１０ａ及び２１０ｄ（のそれぞれの接触部２３２）を介して、試験装置の電圧源４０ａの両端と接続する。更に、Ｋ３がＯＮとなることにより、電圧源４０ｂの一端が電気接続端子２１０ｄと接続する。電圧源４０ｂの他端は、常に電気接続端子２１０ｂと接続された状態となるため、電力量計２１の外部端子２４の３Ｓ及び２Ｓ／２Ｌが、電気接続端子２１０ｂ及び２１０ｄ（のそれぞれの接触部２３１）を介して、試験装置の電圧源４０ｂの両端と接続する。これにより、電力量計２２に試験電圧が印加可能な状態となる。従って、これらの接続状態が形成されることにより、電力量計２２に試験電力が供給可能となる。
【００３７】
なお、Ｋ１からＫ４は、コイルに電流を流すことで接点のＯＮ／ＯＦＦを制御するリレーとして説明したが、これに限られるものではなく、トランジスタ等のスイッチング機能を有する電子デバイスなどであってもよい。また、回路４１０の接点（Ｋ１からＫ４）の切り替えは、手動であってもよいし、上述の電力量計判別手段３００の電力量計判別情報に基づいて自動で行うようにしてもよい。
【００３８】
これにより、基板１１０に載置された電力量計の種類に応じて、電力量計の外部端子と接続する電気接続端子を切り替えることができ、一台の自動結線装置で、複数種類の電力量計の性能試験を行うことができる。従って、試験可能な電力量計が一種類の自動結線装置と比べて、作業効率を大幅に向上させることが可能となる。
【００３９】
なお、電気接続端子２１０の昇降移動や、導通端子選択手段４００における導通状態の電気接続端子２１０と非導通状態の電気接続端子２１０との切り替え等を自動で行う場合、電力量計の設置の有無に関する情報や、設置された電力量計の種類に関する情報等を受信し、受信した情報に基づいて、これらの制御を行う制御部を別途設けるようにしてもよい。
【００４０】
次に、第一の実施形態に係る自動結線装置１０の作用を説明する。まず、電力量計設置部１００の基板１１０上に、手動又は自動で電力量計が載置されると、外接されるスイッチ（図示せず）等により、試験電力供給部２００に係る昇降部２２０の駆動部２２２が駆動され、ピストン２２１及び電気接続端子２１０が降下（図２、図４の矢印Ａの方向への移動）する。これにより、基板１１０に電力量計２１が載置されている場合、接触部２３１を有する電気接続端子２１０（２１０ａ、２１０ｃ、２１０ｄの３本）と電力量計２１の外部端子２４（１Ｓ、２Ｓ／２Ｌ、１Ｌ）とが接続する。それに対し、基板１１０に電力量計２２が載置されている場合、接触部２３２を有する電気接続端子２１０（２１０ａから２１０ｅの５本）と電力量計２２の外部端子２４（１Ｓ、３Ｓ、３Ｌ、２Ｓ／２Ｌ、１Ｌ）とが接続する。なお、電気接続端子２１０と電力量計の外部端子２４との接続を解除する場合、駆動部２２２により、ピストン２２１及び電気接続端子２１０を上昇（矢印Ａとは逆方向への移動）させればよい。
【００４１】
次に、電力量計判別手段３００により、基板１１０に載置された電力量計の種類（電力量計２１又は電力量計２２のいずれか）が判別される。電力量計判別手段３００（センサ３１０）により、判別された電力量計の種類に関する情報に基づき、導通端子選択手段４００（本実施形態では、図５に示すリレー回路４１０）により、電気接続端子２１０のうち、導通状態にされる電気接続端子２１０と、非導通状態にされる電気接続端子２１０とが選択される。最後に、試験装置の電源がＯＮされることで、電力量計に試験電力が供給される。
【００４２】
なお、上述では、電気接続端子２１０の降下移動をさせた後、電力量計の種類を判別して、導通状態又は非導通状態とする電気接続端子２１０を選択するようにしているが、電力量計の種類の判別及び導通状態の電気接続端子２１０の選択の後に、電気接続端子２１０の降下移動をさせてもよい。
【００４３】
次に、図６及び図７を用いて、第二の実施形態に係る自動結線装置６０を説明する。図６は、第二の実施形態に係る自動結線装置６０に、試験対象の電力量計２１が設置される前後の状態を示す斜視図（図６（ａ）が、電力量計２１が設置される前の図、図６（ｂ）が、電力量計２１が設置された後の図）であり、図７は、第二の実施形態に係る自動結線装置６０に、試験対象の電力量計２２が設置される前後の状態を示す斜視図（図７（ａ）が、電力量計２２が設置される前の図、図７（ｂ）が、電力量計２２が設置された後の図）である。
【００４４】
本実施形態に係る自動結線装置６０は、第一の実施形態に係る自動結線装置１０には設けられていない電力量計設置位置調節手段５００を備える。本実施形態では、電力量計設置位置調節手段５００は、電力量計設置部１００の基板１１０上に配設される。
【００４５】
電力量計設置位置調節手段５００は、設置される電力量計の種類に応じて、その設置位置を調節するものである。本実施形態では、電力量計設置位置調節手段５００として、中央に溝部５１１が設けられる枠体５１０を用いる。試験対象の電力量計は、溝部５１１に嵌め込まれる状態となる。本実施形態では、電力量計２１の試験のみの場合に、電力量計設置位置調節手段５００が基板１１０上に配設されるが、これに限られない。
【００４６】
溝部５１１の幅は、電力量計２１の幅とほぼ同じとなるよう成型される。電力量計２１が、溝部５１１に嵌め込まれると、電力量計２１の側面と、溝部５１１の側壁５１２とが当接し、電力量計２１の位置が固定される。これにより、電力量計２１が設置される場合と、電力量計２２が設置される場合とで、外部端子２４の幅方向及び高さ方向の位置が、ほぼ同じとなる（図６（ｂ）、図７（ｂ）参照）。
【００４７】
更に、溝部５１１の背壁５１３の厚みにより、電力量計２１の外部端子２４の、基板１１０からの距離が、電力量計２１が直接基板１１０に載置される場合（すなわち、枠体５１０が基板１１０に配設されていない場合）と比べて、離れる。そのため、電力量計２１が設置される場合と、電力量計２２が設置される場合とで、外部端子２４の奥行き方向の位置がほぼ同じとなる（図６（ｂ）、図７（ｂ）参照）。
【００４８】
上述の第一の実施形態では、設置される電力量計の種類に応じて、電気接続端子２１０の接触部２３０の位置を変える構成としていた。これに対し、本実施形態では、電力量計設置位置調節手段５００を設けることで、電力量計２１が設置される場合と、電力量計２２が設置される場合とで、ほぼ同じ位置に外部端子２４を配置し、設置される電力量計の種類が異なる場合であっても、電気接続端子２１０の接触部２３０と、電力量計の外部端子２４とを接触可能とした。そのため、第一の実施形態では、電気接続端子２１０のいくつかは、種類の異なる接触部２３０（２３１、２３２）を一つずつ備えていたが、本実施形態では、すべての電気接続端子２１０において、１つの接触部２３０を備えるようにすればよい。これにより、電気接続端子２１０の構成要素を簡素化することができ、製造コストを低減させることが可能となる。また、接触部２３０のすべての領域が、外部端子２４と接触するため、電力量計へロスなく試験電力を供給することが可能となる。
【００４９】
本実施形態では、設置された電力量計の種類を判別するための電力量計判別手段３００として、基板１１０の側方に設けられた距離センサ３２０を用い、電力量計２１（又は電力量計設置位置調節手段５００）もしくは電力量計２２までの距離を測り、その距離の違いにより、電力量計の種類を判別するような機構が好ましい。ただし、電力量計の種類を判別可能なものであれば、これに限られない。
【００５０】
なお、上述の第二の実施形態に係る自動結線装置６０において説明をしていないその他の構成要素については、第一の実施形態に係る自動結線装置１０と同様であるため省略する。
【符号の説明】
【００５１】
１０        自動結線装置
２１、２２  電力量計
２４        外部端子
４０        試験装置の電圧源
５０        試験装置の電流源
６０        自動結線装置
１００      電力量計設置部
１１０      基板
１２０      電力量計係止部
１３０      ガイド部
２００      試験電力供給部
２１０      電気接続端子
２２０      昇降部
２３０      接触部
３００      電力量計判別手段
４００      導通端子選択手段
４１０      リレー回路
５００      電力量計設置位置調節手段
【図１】
2015075476.tif 000003
【図２】
2015075476.tif 000004
【図３】
2015075476.tif 000005
【図４】
2015075476.tif 000006
【図５】
2015075476.tif 000007
【図６】
2015075476.tif 000008
【図７】
2015075476.tif 000009